(57)【特許請求の範囲】
【請求項１】
各々一つのステーションに結合され、互いにデータを交換するよう構成された複数のネットワークインターフェースと、
前記ネットワークインターフェースとデータを交換し、また
前記ネットワークインターフェースの各々の負荷情報として、該ネットワークインターフェースから伝送すべき情報の量の通知を受信し、且つ
前記負荷情報に応答して、前記ネットワークインターフェースの各々のために使用可能にするチャネル容量を決定し、前記ネットワークインターフェース間のデータ交換のためのチャネル分配を行う分配手段とを具えたことを特徴とするローカルネットワーク。
【請求項２】
各ネットワークインターフェースが無線伝送路を経てデータを交換するよう構成され、前記分配手段が、前記ネットワークインターフェースとデータを無線伝送路を経て交換するとともに、前記ネットワークインターフェース間のデータ交換のための無線チャネルの分配を行う無線ステーションとして構成されていることを特徴とする請求項１記載のローカルネットワーク。
【請求項３】
ネットワークインターフェースが、
データを含むパケットを送受し、且つ
伝送すべきパケットをバッファする出力バッファ手段を含み、
前記出力バッファ手段の内容量に関する負荷情報を前記無線ステーションに送信するよう構成されていることを特徴とする請求項２記載のローカルネットワーク。
【請求項４】
ネットワークインターフェースが、
非同期伝送モード（ＡＴＭ）に従って形成された、データを含むセルを送受し、且つ
他のネットワークインターフェースに伝送すべきセルの数についての負荷情報を送信するよう構成されていることを特徴とする請求項３記載のローカルネットワーク。
【請求項５】
前記無線ステーションが、時分割多重フレームのタイムスロットを各ネットワークインターフェースに、他のネットワークインターフェースに伝送すべき割り当てられた前記出力バッファ手段内のセルの数に応答して割り当てるように構成されていることを特徴とする請求項４記載のローカルネットワーク。
【請求項６】
ネットワークインターフェースが、
前記出力バッファ手段を制御するとともに、前記出力バッファ手段内のセルの数を特定するコントローラと、
前記コントローラで得られた前記負荷情報を前記無線ステーションに送信する無線送信機と、
前記無線ステーションから受信したデータを前記コントローラに搬送する無線受信機とを具え、且つ
前記コントローラが、前記無線送信機が前記出力バッファ手段により送達されたセルを割り当てられたタイムスロット中のみ送信するように、前記無線送信機を駆動するイネーブルコマンドを発生するように構成されていることを特徴とする請求項５記載のローカルネットワーク。
【請求項７】
ネットワークインターフェースが、前記無線受信機により受信されたセル、割り当てられたステーションに供給されるセル、又は前記コントローラに供給されるセルを、前記割り当てられたステーション、前記コントローラ、及び／又は前記無線送信機に経路選択するよう構成されたスイッチング装置を具えることを特徴とする請求項６記載のローカルネットワーク。
【請求項８】
前記スイッチング装置が、補助ラインを経てステーションの出力端子、前記コントローラの出力端子、及び前記無線受信機の出力端子に結合され、且つトランクラインを経てステーションの入力端子、前記コントローラの入力端子、及び前記無線送信機の入力端子に結合され、且つ各トランクラインが送信バッファに結合され、且つ各送信バッファがセルフィルタを経て補助ラインに結合され、且つセルフィルタがセルのアドレスを検証するとともに正しいアドレスを有するセルを割り当てられた前記送信バッファに搬送するよう構成され、且つ送信バッファに搬送されるセルに関するメッセージをセルフィルタと交換するとともに前記送信バッファをイネーブルするよう構成されたスイッチコントローラが設けられていることを特徴とする請求項７記載のローカルネットワーク。
【請求項９】
前記無線ステーションがベースコントローラを具え、このコントローラが、各時分割多重フレームにおいて、
各ネットワークインターフェースの出力バッファ手段内にバッファされている、他のネットワークインターフェースへ伝送すべきセルの数Ｚｋを受信し、
各ネットワークインターフェースのための時分割多重フレームのタイムスロットの数Ｓｋを次式：
【数１】
0003758697.tif 000006
ここに、ＩＮＴは丸め演算を表し、Ｍは時分割多重フレームのタイムスロット数であり、ｎはネットワークインターフェースの数であり、ｋ＝１，２，...，ｎ及びｉ＝１，２，...，ｎ−１である；
を用いて計算し、
タイムスロットを各ネットワークインターフェースに分配するように構成されていることを特徴とする請求項５〜８のいずれかに記載のローカルネットワーク。
【請求項１０】
前記無線ステーションが一つのネットワークインターフェースから受信されたデータを他のネットワークインターフェースに搬送するブリッジ素子として構成されていることを特徴とする請求項２〜９のいずれかに記載のローカルネットワーク。
【請求項１１】
各々一つのステーションに結合され、データを無線伝送路を経て交換する複数のネットワークインターフェースを具えるローカルネットワーク用の無線ステーションであって、該無線ステーションは、
前記ネットワークインターフェースと無線伝送路を経てデータを交換し、
前記ネットワークインターフェースの各々の負荷情報として、該ネットワークインターフェースから伝送すべき情報の量の通知を受信し、且つ
前記負荷情報に応答して、前記ネットワークインターフェースの各々のために使用可能にするチャネル容量を決定し、前記ネットワークインターフェース間のデータ交換のためのチャネル分配を行うよう構成されていることを特徴とする無線ステーション。
【発明の詳細な説明】
【０００１】
【産業上の利用分野】
本発明は、各々一つのステーションに結合され、互いにデータを交換するよう構成された複数のネットワークインターフェースを具えるローカルネットワークに関するものである。
【０００２】
【従来の技術】
ローカルネットワークは”Ohne Chips nichts los"-Standard-Chips fur ATM-Systeme sind im Kommen, Bernd Reder, Elektronik 1/1993, pp.66-75, から既知である。この論文は非同期伝送モード（ＡＴＭ）で動作するローカルネットワークに使用される集積回路の開発の現状について論じている。各ステーションはローカルネットワークのリングラインにネットワークインターフェースを介して接続される。ネットワークインターフェース内ではスイッチング装置（スイッチ）を用いてＡＴＭセルのストリームを制御している。
【０００３】
非同期伝送モードをシステムに使用する場合には、通話信号、ビデオ信号又は音声信号のようなペイロードを固定長のブロックでディジタル信号処理装置に送る。固定長のブロックとは、所定数のバイト（例えば５３バイト）を含むセルを意味する。各セルは、例えば５バイトの長さを有するヘッダフィールド及びペイロードを収納する、例えば４８バイトの長さを有する情報フィールドを含んでいる。このようなヘッダフィールドにおいて、経路識別コード、誤り認識データ及び制御データを使用することができる。経路識別コードはトランク識別子及び接続識別子を意味するものと理解されたい。接続識別子、ＶＣＩ（仮想チャネル識別子）とも称す、はシステム内におけるセルの宛て先の記述を含む。セルを伝送するために、仮想チャネル識別子に応答して仮想チャネルを使用することができる。一般に、ＶＣＩは交換点に到達するたびに変えられる。種々の仮想チャネルのトランク群が仮想パスと関連する。仮想パスはトランク識別子により識別される。このような識別子を仮想パス識別子（ＶＰＩ）という。セルは連続的に決定された期間に割り当てられる。このような期間の長さは伝送素子の基準として使用するクロック速度により決まる。ペイロードがない場合には、空のセル、即ちペイロードを持たないセルがこのような期間内に伝送される。
【０００４】
ローカルネットワークのネットワークインターフェース間でデータを伝送又は交換するためには、ケーブル結合又はワイヤレス型無線通信を選択することができる。例えば、ステーションを移動局とする必要がある場合には、無線チャネルによる伝送が有利である。このようなステーションは、例えばコードレス電話、ポータブルパーソナルコンピュータ又はワイヤレスヘッドホンを意味するものと理解されたい。
【０００５】
【発明が解決しようとする課題】
本発明の目的はフレキシブルなローカルネットワークを提供することにある。
【０００６】
【課題を解決するための手段】
本発明は、この目的を達成するために、各々ステーションに結合され且つ互いにデータを交換するよう構成された複数のネットワークインターフェースを具えるローカルネットワークにおいて、
データをネットワークインターフェースと交換するとともに、
ネットワークインターフェースの負荷情報を受信し、且つ
負荷情報に応答してネットワークインターフェース間のデータ交換のためのチャネル分配を送信する分配手段を設けたことを特徴とする。
【０００７】
本発明によるローカルネットワークでは、個々のネットワークインターフェース間の伝送を、例えばデータパケットで行うことができる。また、ハイアラーキシステムの信号を伝送することもできる。各ネットワークインターフェースは分配手段（例えば無線ステーションとしうる）に、伝送すべき情報の量（負荷情報）を周期的に通知する。これにメッセージを後続させることができ、データ伝送には２Ｍビット／ｓのビットレートを有する信号が必要になる。パケットスイッチングの場合には、例えばパケットの数及び大きさを通知する。この場合には、無線ステーションにおいてどのぐらいのチャネル容量を使用可能にすべきか決定される。従って、例えば、２つのネットワークインターフェース間に３４Ｍビット／ｓの総容量を有する一つ又は種々のチャネルを割り当てることができ、他のネットワークインターフェース間に一つ又は種々の２Ｍビット／ｓチャネルを割り当てることができる。この目的のために、周波数分割多重方法又は時分割多重方法を使用することができる。また、ＣＤＭＡ（コードディビジョンマルチプルアクセス）方法を使用することもできる。
【０００８】
個々のネットワークインターフェースと無線ステーションとの間の伝送は別の搬送波周波数を用いて実行することができ、また時分割多重方法で実現する場合にはタイムスロットを用いて実行することもできる。
【０００９】
ネットワークインターフェース間のデータ交換はワイヤ通信路又は無線通信路により実行することができる。データを無線通信路で伝送する場合にフレキシビリティが向上する。
【００１０】
電話、テレビジョンスクリーン、スピーカ、オーディオチューナ、テレビジョンチューナ、ＣＤプレーヤ、パーソナルコンピュータ等を結合する家庭専用設備には無線ローカルネットワークが特に好適である。この場合には機器の配置を簡単に変更することもできる（フレキビリティ）。
【００１１】
ローカルネットワーク内の個々のネットワークインターフェース間でパケットを伝送する場合には、ネットワークインターフェースが伝送すべきパケットをバッファする出力バッファ手段を具える。この場合、無線ステーションはネットワークインターフェースから各出力バッファ手段の含有情報量に関する負荷情報を受信する。
【００１２】
パケット伝送の特別の場合は非同期伝送モード（ＡＴＭ）であり、この場合には固定長のパケット又はブロックをセルとして伝送する。セルが固定長であるため信号処理が簡単になる。ネットワークインターフェースはセルを送受するとともに他のネットワークインターフェースに伝送すべきセルの数に関する負荷情報を送出する。この負荷情報は少量であるため一般に非同期伝送モードでセルで伝送しない。
【００１３】
無線チャネルが時分割多重フレームのタイムスロットである場合には、負荷分配を無線ステーションにより簡単に制御することができる。この場合には、時分割多重フレームのタイムスロットを各ネットワークインターフェースに、割り当てられた出力バッファ手段に存在するセルの数に応じて割り当てるように無線ステーションを構成する。例えば、無線ステーションは大きな負荷を有するネットワークインターフェースには３つのタイムスロットを、小さな負荷を有する他のネットワークインターフェースには１つのタイムスロットを割り当てるようにする。種々のセルを１つのタイムスロットで伝送することができる。
【００１４】
出力バッファ手段内に存在するセルの検出及び割り当てられたタイムスロットでのセルの伝送は次のように達成することができる。ネットワークインターフェースは、出力バッファ手段を制御するとともに出力バッファ手段内のセルの数を決定するコントローラと、コントローラで得られた負荷情報を無線ステーションに送信する無線送信機と、無線ステーションから受信したデータをコントローラに搬送する無線受信機とを具えるものとする。更に前記コントローラを、無線送信機が出力バッファ手段により送達されたセルを割り当てられたタイムスロット中のみ送信するように無線送信機を駆動するイネーブルコマンドを発生するように構成する。
【００１５】
ネットワークインターフェース内ではセルストリームをスイッチング装置により案内する。このスイッチング装置は、無線受信機により受信されたセル、割り当てられたステーションに供給されるセル、又はコントローラに供給されるセルを割り当てられたステーション、コントローラ及び／又は無線送信機に経路選択するよう構成する。
【００１６】
スイッチング装置の一実施例は次の特徴を有する。スイッチング装置は補助ラインを経てステーションの出力端子、コントローラの出力端子及び無線受信機の出力端子に結合され且つトランクラインを経てステーションの入力端子、コントローラの入力端子及び無線送信機の入力端子に結合する。各トランクラインは出力バッファ手段の送信バッファに結合する。各送信バッファはセルフィルタを経て補助ラインに結合する。セルフィルタはセルのアドレスを検証し、正しいアドレスを有するセルを割り当てられた送信バッファに搬送するよう構成する。更に、スイッチコントローラを、送信バッファに搬送されるセルについてのメッセージをセルフィルタと交換し、その送信バッファをイネーブルするよう構成する。
【００１７】
無線ステーションは各インターフェースに時間チャネルを割り当てる。例えば、時分割多重フレーム毎に、その出力バッファ手段内に多数のセルを有する一つのネットワークインターフェースに３つのタイムスロットを、その出力バッファ手段内に少数のセルを有する他のネットワークインターフェースに１つのタイムスロットを割り当てることができる。無線ステーション内のベースコントローラが時分割多重フレーム毎に受信負荷情報から各ネットワークインターフェースのためのタイムスロットの数を計算する。この場合、ベースコントローラは、
各ネットワークインターフェースの出力バッファ手段内にバッファされている、他のネットワークインターフェースへ伝送すべきセルの数Ｚk を受信し、
各ネットワークインターフェースのための時分割多重フレームのタイムスロットの数Ｓk を次式：
【数２】
0003758697.tif 000002
ここに、ＩＮＴは丸め演算を表し、Ｍは時分割多重フレームのタイムスロット数であり、ｎはネットワークインターフェースの数であり、ｋ＝１，２，．．．，ｎ及びｉ＝１，２，．．．，ｎ−１である；
を用いて計算し、
タイムスロットを各ネットワークインターフェースに分配するように構成する。
【００１８】
最初に、ベースコントローラは第１ネットワークインターフェースについて分数Ａ1 を計算する。この分数Ａ1 に、時分割多重フレームのタイムスロット数Ｍを乗算する。乗算の結果を（演算ＩＮＴにより）切り捨て又は切上げ処理して第１ネットワークインターフェースのためのタイムスロットの数Ｓ1 を得る。次に、補正分数Ｂ1 を計算する。他のネットワークインターフェースに対するタイムスロットの数は前記式に従って同様に計算される。
【００１９】
時分割多重フレーム内におけるタイムスロットの分布はランダムになる。例えば、一つのネットワークインターフェースに対するタイムスロットは時分割多重フレーム内に連続的に分布させることができ、またほぼ均等に分布させることもできる。
【００２０】
本発明の他の実施例では、無線ステーションを一つのネットワークインターフェースから他のネットワークインターフェースへデータを搬送するブリッジ素子として使用する。この場合にはＧＳＭ（Global System for Mobil Communication ）に使用されているものと類似の伝送方法及び回路を使用することができる。このような移動無線システムはＥＰ−Ａ２−０５４４４５７号に開示されている。
【００２１】
本発明はローカルネットワーク用のネットワークインターフェース及び無線ステーションにも関するものである。このネットワークインターフェースはステーションに結合され、、データを隣接のネットワークインターフェース及び無線ステーションと無線伝送路を経て交換するのに使用され、負荷情報を無線ステーションに伝送するとともに無線ステーションから隣接のネットワークインターフェースとのデータ交換に使用すべき無線チャネルについての情報信号を受信する。各々一つのステーションに結合されデータを無線伝送路を経て交換する複数のネットワークインターフェースを具えるローカルネットワーク用の無線ステーションは、データを無線伝送路を経てネットワークインターフェースと交換するのに使用され、ネットワークインターフェースから負荷情報を受信し、負荷情報に応答してネットワークインターフェース間のデータ交換のための無線チャネルの分配を送信する。
【００２２】
【実施例】
以下、図面を参照して本発明を実施例につき詳細に説明する。
図１は各々ネットワークインターフェース及びステーションを具える４つの装置１〜４を具えるローカルネットワークの一実施例の全体図を示す。ステーションは、例えば電話、ビデオ電話、パーソナルコンピュータ、テレビジョンセット又はオーディオチューナとすることができる。装置１〜４のステーション又はネットワークインターフェースからのメッセージ、即ち情報信号は個々のネットワークインターフェース間の無線伝送路を経て非同期伝送モードでセルの形で伝送される。装置１のネットワークインターフェースが装置２のネットワークインターフェースにセルを送信し、装置２のネットワークインターフェースが装置３のネットワークインターフェースにセルを送信し、装置３のネットワークインターフェースが装置４のネットワークインターフェースにセルを送信し、装置４のネットワークインターフェースが装置１のネットワークインターフェースにセルを送信する（リングトラヒック）。
【００２３】
セルは、例えば５バイトのヘッダフィールド及び例えば４８バイトの情報フィールドを含む。ヘッダフィールド内の情報は特にアドレッシング及びスイッチング機能の実行に使用される。
【００２４】
個々のネットワークインターフェース間のセルの無線伝送は時分割多重方法に従って実行される。各リング接続ごとにに時分割多重フレームの１以上のタイムスロットが使用可能である。複数のセルを一つのタイムスロット内に挿入することができる。伝送路を経て装置１〜４のネットワークインターフェースと通信する無線ステーション５がタイムスロットの分配を制御する。このネットワークインターフェースとの通信には交換すべき情報がリングラインを経るデータ交換より少ないため、セルを使用しない。リングトラヒックは第１搬送波周波数を有する第１搬送波により行い、ネットワークインターフェースと無線ステーション５との間のトラヒックは第２搬送波周波数を有する第２搬送波により行う。或いは又、無線ステーション５とネットワークインターフェースとの間のトラヒックに追加のタイムスロットを用いることもできる。
【００２５】
ネットワークインターフェース６と、割り当てられたステーション７を図２に詳細に示す。ステーション７をネットワークインターフェース６のバッファメモリ８及び９に接続する。バッファメモリ９はステーション７からのセルを第１評価回路１０に搬送する。この評価回路は経路選択テーブル１１に結合され、入来セルのヘッダフィールドを評価する。セルのヘッダフィールド内のアドレス情報を第１評価回路１０に接続された経路選択テーブル１１のメモリアドレストとして使用する。第１評価回路１０は経路選択テーブル１１のこのメモリアドレスに記憶された情報を用いてセルを更に処理し搬送する。例えば、第１評価回路１０はセルをコピーし、これに新しいアドレスを与えることができる。
【００２６】
第１評価回路１０はセルストリームをネットワークインターフェース６に導くスイッチング装置１２に接続される。スイッチング装置１２は更にバッファメモリ８、コントローラ１３、出力バッファ手段１４及び第２評価回路１５に結合される。セル及び制御情報がコントローラ１３とスイッチング装置１２との間の接続を経て伝送される。マイクロプロセッサとして構成しうるコントローラ１３は接続の設定又は切断及びスイッチング装置１２の制御に使用される。
【００２７】
スイッチング装置１２は第２評価回路１５からセルを受信する。この評価回路は第１評価回路１０と同一に機能し、他の経路選択テーブル１６に接続される。コントローラ１３は別々の接続を経て経路選択テーブル１１及び１６に新しいメモリ内容を供給することもできる。
【００２８】
バッファメモリ８及び出力バッファ手段１４はスイッチング装置１２からセルを受信し、バッファメモリ９と同様にクロックマッチングを達成する。出力バッファ手段１４はバッファしているセルの数を負荷情報として接続ラインを経てコントローラ１３に通知するとともに、受信セルを無線送信機１７に搬送し、この送信機がセルを時分割多重フレームの先に決められたタイムスロットに挿入する。このような送信機は、例えばＧＳＭシステムで行われているように送信データを第１搬送波上に変調する。コントローラ１３が無線送信機１７を、セルを含む第１搬送波がネットワークインターフェース６のセルを送信するために予定されたタイムスロット中にのみ送信するように制御する。無線送信機１７は制御情報としてコントローラ１３から負荷情報を別のラインを経て受信する。この負荷情報は第２搬送波上に変調される。
【００２９】
無線受信機１８は他のネットワークインターフェースから第１搬送波上に変調され且つ特定のタイムスロットに挿入されたデータを受信するとともに無線ステーション５から第２搬送波上に変調された制御情報を受信する。無線受信機１８は既知のＧＥＭシステムから既知の無線受信機と同一の構造を有する。受信セルは復調後にクロックマッチング用の他のバッファメモリ１９を経て第２評価回路１５に供給される。負荷情報を別のラインを経てコントローラ１３に供給する。
【００３０】
２つのタイプのペイロードセルが無線送信機１７及び無線受信機１８を経て伝送される。一方のタイプは、情報フィールド内に、例えば先に設定された接続のユーザのメッセージ又はデータを含むユーザセルであり、他方のタイプは、情報フィールド内に接続の設定又は切断のための制御情報を含む制御セルである。スイッチング装置１２は第２評価回路１５から受信されるユーザセルをステーション７に又は出力バッファ手段１４に転送することができる。ユーザセルを第２評価回路１５内で消去することもできる。スイッチング装置１２はユーザセルをステーション７と出力バッファ手段１４の双方に同時に転送することもできる。また、スイッチング装置１２はステーション７により発生されたユーザセルを出力バッファ手段１４にのみ搬送する。
【００３１】
無線受信機１８により発生された制御セルはステーション７及び／又は出力バッファ手段１４に搬送することができる。制御セルはコントローラ１３にスイッチすることもできる。コントローラ１３により発生された制御セルはステーション７及び／又は出力バッファ手段１４に到達することができる。ステーション７により発生された制御セルは自己試験手段によりステーション７に戻すこともできる。
【００３２】
セルの受信時に、最初にセルのヘッダフィールドがスイッチング装置１２において評価される。ヘッダフィールド内のアドレスがステーション７のアドレスと一致しない場合には、このアドレスが出力バッファ手段１４に転送される。ヘッダフィールド内のアドレスがステーション７のアドレスと一致する場合には、このアドレスがステーション７及び／又はコントローラ１３に転送される。更に、セルを出力バッファ手段１４に追加転送することことが考えられる。
【００３３】
セルのヘッダフィールド内の所定のビットは仮想チャネル識別子（ＶＣＩ）用に確保される。この識別子はセルの宛て先を含み、標準化提案に従って仮想チャネルを示す。セルのヘッダフィールド内の所定のビットは更に仮想パス識別子（ＶＰＩ）用に確保される。ＶＰＩはアドレス、即ち宛て先についての情報を含む。ＶＣＩは接続、接続のタイプ及びセルのタイプに関するユーザ関連識別コードを含むことができる。
【００３４】
現在の標準化規則によると、セルのヘッダフィールドはＶＰＩ用に８ビット及びＶＣＩ用に１６ビットを含む。ＶＣＩの１ビットを、制御セルに関するものかユーザセルに関するものかを示すのに使用することができる。少なくとも他の２ビットで接続のタイプを示すことができる。接続のタイプはユニキャスト接続、マルチキャスト接続又はブロードキャスト接続とすることができる。ユニキャスト接続、即ちエンドツーエンド接続の場合には、第１ステーションのユーザと第２ステーションのユーザとの間に仮想チャネルが存在する。マルチキャスト接続、即ちポイントツーマルチポイント接続の場合には、種々のステーションのユーザが相互接続される。ブロードキャストの場合には、送信ステーションが同一の内容の情報フィールドを有するセルを送信ステーションと最終受信ステーションとの間に位置する全てのステーションに送信する。ＶＣＩの残りのビットは接続に関するユーザ関連識別コードに使用することができる。このように定義されたＶＰＩ及びＶＣＩは唯一の接続を識別する。このようなローカルネットワークにおいて接続がどのように設定され、切断されるかは、例えばドイツ国特許出願Ｐ４３２９０４８号に記載されている。
【００３５】
ネットワークインターフェース６内に含まれるスイッチング装置１２の一実施例のブロック図を図３に示す。このようなスイッチング装置１２は、U. Killat,W. Kowalk, J. Noll, H.G. Keller, H.J. Reumermann snd U. Ziegler, "A Versatile ATM Switch Concept",XIII Internatinal Switching Symposium, Stockholm, Sweden, 27th May to 1st June, 1990, Session A6, paper #4, Proceedings Vol.IV, pp.127-134, に記載されている。スイッチング装置１２は補助ライン２０を経て第１評価回路１０に、補助ライン２１を経て第２評価回路１５に、及び第３補助ライン２２を経てコントローラ１３に接続する。補助ライン２０、２１及び２２の各々にセルフィルタ２３〜３１の内の３つを接続する。補助ライン２２に接続されたセルフィルタ２３の出力端子、補助ライン２１に接続されたセルフィルタ２４の出力端子、及び補助ライン２０に接続されたセルフィルタ２５の出力端子を送信バッファに結合する。セルフィルタ２６〜２８の出力端子を送信バッファ３３に結合し、セルフィルタ２９〜３１の出力端子を送信バッファ３４に結合する。セルフィルタ２６及び２９を補助ライン２２に接続し、セルフィルタ２７及び３０を補助ライン２１に接続し、セルフィルタ２８及び３１を補助ライン２０に接続する。送信バッファ３２の出力端子をトランクライン３５を経てバッファメモリ８に結合し、送信バッファ３３の出力端子をトランクライン３６を経て出力バッファ手段１４に結合し、送信バッファ３４の出力端子をトランクライン３７を経てコントローラ１３に結合する。
【００３６】
セルフィルタ２３〜３１はセルのヘッダフィールド内のアドレスにより、入来セルを割り当てられたトランクライン３５〜３７に到達させるべきか検査する。また、セルが割り当てられた送信バッファ３２〜３４に到達する前に、セルはセルフィルタ２３〜３１でもバッファされる。セルのバッファリングはスイッチコントローラ３９に知らされ、このコントローラがセルフィルタ２３〜３１でバッファされた全てのセルを読み出す順序を決定するとともに、送信バッファ３２〜３４からのセルの読み出しも制御する。
【００３７】
コントローラ１３は出力バッファ手段１４から負荷情報（セル数）を受信する。この負荷情報はコントローラ１３から無線送信機１７を経て無線ステーション５に伝送され、このステーション５が、全ての負荷情報を全てのネットワークインターフェースから受信した後に、コントローラ１３にタイムスロットの分配を通知する。コントローラ１３は無線ステーション５から無線受信機１８を経てタイムスロットの分配に関する情報を受信する。コントローラ１３はこの情報に基づいて無線送信機１７に対するイネーブルコマンドを形成し、この無線送信機１７がイネーブルコマンドの受信後に出力バッファ手段１４からセルを読み出し、第１搬送波上に変調する。
【００３８】
無線ステーション５のブロック構成図を図４に示す。このステーションは無線受信機４０、無線送信機４１及びベースコントローラ４２を具える。ベースコントローラ４２は全てのネットワークインターフェースの受信負荷情報から負荷分配を計算する。
【００３９】
ｎ個のネットワークインターフェースに対しタイムスロットを分配するアルゴリズムを以下に説明する。
各ネットワークインターフェースがその出力バッファ手段１４内にＺk 個のセルを含み、各時分割多重フレームがＭ個のタイムスロットを有するものとする。最初に第１ネットワークインターフェースに対しセル数の比Ａ1 を次式に従って計算する。
【数３】
0003758697.tif 000003
【００４０】
次に、第１ネットワークインターフェースに対する丸めたタイムスロット数Ｓ1 を計算する。
Ｓ1 ＝ＩＮＴ（Ａ1 Ｍ）
ＩＮＴは小数点表示のセル数を切上げる又は切り捨てる丸め演算を示す。
この丸め処理の結果、他のタイムスロットＳK （ｋ＝２，．．．，ｎ）を計算するには比Ｂ1 の補正を加える必要がある。
Ｂ1 ＝Ｓ1 ／Ｍ
全ての他の比Ａk （ｋ＝２，．．．，ｎ）の和は１−Ｂになる。第２ネットワークインターフェースに対する比Ａ2 は、
【数４】
0003758697.tif 000004
になる。
【００４１】
第２ネットワークインターフェースに対する丸めたタイムスロット数Ｓ2 は、
Ｓ2 ＝ＩＮＴ（Ａ2 Ｍ）
これから再び補正比Ｂ2 を計算する。
Ｂ2 ＝Ｓ2 ／Ｍ
以下同様にして他のネットワークインターフェースに対するタイムスロット数を計算する。
【００４２】
この場合、ネットワークインターフェースｋに対し次式が得られる。
【数５】
0003758697.tif 000005
ベースコントローラ４２は新しい時分割多重フレーム毎にタイムスロットの分配を計算する。
【００４３】
時分割多重フレームＴR の８タイムスロットの分配の例を図５に示す。ネットワークインターフェースＡがセルをネットワークインターフェースＢに送信し、ネットワークインターフェースＢがセルをネットワークインターフェースＣに送信し、ネットワークインターフェースＣがセルをネットワークインターフェースＤに送信し、ネットワークインターフェースＤがセルをネットワークインターフェースＡに送信する。ネットワークインターフェースＡの出力バッファ手段１４には４つのセルがバッファされ、ネットワークインターフェースＢの出力バッファ手段１４には２つのセルがバッファされ、ネットワークインターフェースＣの出力バッファ手段１４には８つのセルがバッファされ、ネットワークインターフェースＤの出力バッファ手段１４には６つのセルがバッファされている。この場合、ベースコントローラ４２はネットワークインターフェースＡに２つのタイムスロットを、ネットワークインターフェースＢに１つのタイムスロットを、ネットワークインターフェースＣに３つのタイムスロットを、ネットワークインターフェースＤに２つのタイムスロットを割り当てる。本例ではタイムスロットの割当ては時分割多重フレームＴR に亘り均等に行われる。
【００４４】
図６はローカルネットワークの他の実施例を示す。このネットワークはネットワークインターフェース及び割り当てられたステーションを有する４つの装置４３〜４６を具える。本例では無線ステーション４７はタイムスロット分配を計算するのに使用されるのみならず、ブリッジ素子としても使用される。この場合にはセルは一つのネットワークインターフェースから他のネットワークインターフェースへ直接伝送されず、無線ステーション４７を介して伝送される。このような実施例はＧＳＭシステムの多くの構成素子を利用することができる。
【図面の簡単な説明】
【図１】データ交換が無線伝送路を経て行われる非同期伝送モードで動作するローカルネットワークの全体構成図である。
【図２】ローカルネットワークに使用されるネットワークインターフェースのブロック構成図である。
【図３】ネットワークインターフェースに使用されるスイッチング装置のブロック構成図である。
【図４】ローカルネットワークに使用される無線ステーションのブロック構成図である。
【図５】ネットワークインターフェース間のデータ伝送説明用時分割多重フレームを示す図である。
【図６】ローカルネットワークの他の実施例の全体構成図である。
【符号の説明】
１〜４  装置
５  無線ステーション
６  ネットワークインターフェース
７  ステーション
８、９  バッファメモリ
１０  第１評価回路
１１  経路選択テーブル
１２  スイッチング装置
１３  コントローラ
１４  出力バッファ手段
１５  第２評価回路
１６  経路選択テーブル
１７  送信機
１８  受信機
１９  バッファメモリ
２０〜２２  補助ライン
２３〜３１  セルフィルタ
３２〜３４  送信バッファ
３５〜３７  トランクライン
４０  無線受信機
４１  無線送信機
４２  ベースコントローラ
４３〜４６  装置
４７  無線ステーション
【図１】
0003758697.tif 000007
【図２】
0003758697.tif 000008
【図３】
0003758697.tif 000009
【図４】
0003758697.tif 000010
【図５】
0003758697.tif 000011
【図６】
0003758697.tif 000012